(57)【特許請求の範囲】
【請求項１】
キュービクルの筺体に、補強用の金網が埋設された窓ガラスが装着されて成り、
当該窓ガラスの周面において前記金網の露出部が接続されたアンテナ端子と、前記アンテナ端子に接続された給電線とを有し、
前記給電線を介して筐体内部の無線通信ユニットが前記金網に接続されて、前記金網が無線通信ユニットのアンテナとして使用されることを特徴とするキュービクル。
【請求項２】
前記アンテナ端子が窓ガラスの周縁に沿って延びる導線を含み、導線が窓ガラスの周面に露出する金網の露出部に接続される請求項１記載のキュービクル。
【請求項３】
前記アンテナ端子が筐体と窓ガラスとの間の空隙部に配置され、金属製の筐体から電気的に絶縁されている請求項１または２記載のキュービクル。
【発明の詳細な説明】
【技術分野】
【０００１】
本発明は、筺体の一部に無線通信用のアンテナを装備したキュービクルに関する。
【背景技術】
【０００２】
従来、内部機器の計測データや動作情報を無線で外部に送信するために、無線通信ユニットを装備したキュービクルが知られている。この種のキュービクルは、内部機器を保護するために筺体が金属板で形成されているため、電波が金属板で遮蔽され、通信に支障を来たすことがある。そこで従来、電波を中継するアンテナを筺体の外部に立設したキュービクルが提案されている。
【０００３】
例えば、特許文献１には、図６に示すようなキュービクル５１において、筺体５２の内部に無線装置（図示略）を設置し、筺体５２の外部に支持柱一体型アンテナ５３を立て、アンテナ５３の給電線（フィーダ線）を筺体５２に開けた穴（通線口）に通して無線装置に接続する技術が記載されている。
【先行技術文献】
【特許文献】
【０００４】
【特許文献１】特開平０８−３１６７１３号公報
【発明の概要】
【発明が解決しようとする課題】
【０００５】
ところが、従来のキュービクル５１によると、筺体５２の外部に長大なアンテナ５３が露出するため、キュービクル５１の外観の見栄えが悪くなる不都合があった。また、筺体５２の一部に穴を開けるため、筺体５２の剛性が低下し、内部機器の保護機能に悪影響を及ぼすという問題点もあった。
【０００６】
そこで、本発明の目的は、内部機器の保護機能を低下させることなく、無線通信用のアンテナを筐体に見栄えよく装備できるキュービクルを提供することにある。
【課題を解決するための手段】
【０００７】
上記課題を解決するために、本発明は次のようなキュービクルを提供する。
（１）キュービクルの筺体に、補強用の金網が埋設された窓ガラスが装着されて成り、
当該窓ガラスの周面において金網の露出部が接続されたアンテナ端子と、アンテナ端子に接続された給電線とを有し、給電線を介して筐体内部の無線通信ユニットが金網に接続されて、金網が無線通信ユニットのアンテナとして使用されることを特徴とするキュービクル。
【０００９】
（２）アンテナ端子が窓ガラスの周縁に沿って延びる導線を含み、導線が金網の露出部に接続されていることを特徴とするキュービクル。
【００１０】
（３）窓ガラスの周面と筐体との間に、アンテナ端子を筐体から電気絶縁するための空隙部が形成されていることを特徴とするキュービクル。
【発明の効果】
【００１１】
本発明のキュービクルによれば、筐体の窓ガラスにアンテナ端子を設けたので、窓ガラスの補強用金網をアンテナとして兼用でき、筐体に穴を開けたり、専用アンテナを立てたりする必要がなくなり、機器保護機能を維持し、外観の見栄えを向上できるという効果がある。
【図面の簡単な説明】
【００１２】
【図１】本発明の実施形態を示すキュービクルの斜視図である。
【図２】窓ガラスの取付構造を示す前面扉の部分断面図である。
【図３】窓ガラス周面のアンテナ端子を示す前面扉の部分拡大図である。
【図４】キュービクルの一使用例を示す店舗施設の斜視図である。
【図５】店舗との無線通信形態を示すキュービクルの側面図である。
【図６】従来のアンテナ付きキュービクルを示す斜視図である。
【発明を実施するための形態】
【００１３】
以下、本発明の実施形態を図面に基づいて説明する。図１に示すキュービクル１は金属製の筺体２を備え、筺体２の前面扉３に窓ガラス４が装着されている。窓ガラス４の全域には補強用の金網５が埋設され、窓ガラス４の周面にアンテナ端子６が設けられている。そして、アンテナ端子６が金網５と給電線７に接続され、給電線７が筐体２の内側に設置された無線通信ユニット８（図５参照）に接続されている。
【００１４】
なお、キュービクル１の窓には、ＪＩＳ  Ｒ  ３２０４に規定する厚さ６．８ｍｍ以上の金網入りガラスまたは同等以上の機械的強度と防火性能を持つものを用いる必要がある（日本配電盤工業規格  ＪＳＩＡ２００  キュービクル式高圧受電設備通則  抜粋）。
【００１５】
図２に示すように、窓ガラス４は、前面扉３の開口部１０を塞ぐように配置され、ゴム等の非導電性柔軟材料からなる窓枠１１によって押え金具１２に押圧保持されている。押え金具１２は前面扉３の裏面に固定され、ガラス窓４の周面と押え金具１２との間に空隙部１３が形成されている。そして、アンテナ端子６が押え金具１２と非接触の状態で空隙部１３に配置され、筐体２の前面扉３から電気的に絶縁されている。
【００１６】
図３（ａ），（ｂ）に示すように、金網５の一部は窓ガラス４の周面から空隙部１３に露出し、アンテナ端子６が金網５の露出部５ａに接続されている。図３（ａ）に示すアンテナ端子６は、金網５の一部の露出部５ａに点状に接続されている。図３（ｂ）に示すアンテナ端子６は、窓ガラス４の周縁に沿って延びる導線１５を備え、導線１５が金網５の複数の露出部５ａに連続的に接続されている。
【００１７】
上記のように構成されたキュービクル１は、例えば、図４に示すような店舗２１の敷地内に設置される。店舗２１には照明、冷凍、冷蔵、空調等の各種負荷機器２２（代表的に空調室外機を図示）が設備されている。キュービクル１は、筺体２の内部に受配電機器（図示略）を装備し、配電線路２３から受電した高圧を所要の低圧に変圧したのち、低圧電力を負荷機器２２に供給する。
【００１８】
図５に示すように、キュービクル１の筐体２内には計測機能を備えた無線通信ユニット８が設置され、店舗２１内にデマンド制御ユニット２４が設置されている。そして、無線通信ユニット８が電力使用情報、環境情報、機器動作情報等の計測データを無線で送信し、窓ガラス４が無線電波をキュービクル１から店舗２１に中継し、デマンド制御ユニット２４が受信データに基づいて負荷機器２２の稼動を制御するようになっている。
【００１９】
したがって、この実施形態のキュービクル１によれば、次のような作用効果が得られる。
（ａ）窓ガラス４の金網５をアンテナとして利用することで、筐体２に穴を開けたり、専用アンテナを立てたりする必要がなくなり、本来の機器保護機能を維持でき、外観の見栄えも向上する。
（ｂ）金網５の露出部５ａにアンテナ端子６を設けたので、窓ガラス４に特別な加工をしなくても、金網５をアンテナとして利用できる。
（ｃ）特に、窓ガラス４の周縁に沿って延びる導線１５を露出部５ａに接続した場合は、この導線１５を窓ガラス４の外部アンテナとしても使用できる利点がる。
（ｄ）アンテナ端子６を窓ガラス４と押え金具１２との間の空隙部１３に配置したので、金網５と給電線７を金属製の筐体２から電気絶縁することができる。
【００２０】
なお、上記実施形態では、金網入りの窓ガラス４が前面扉３に装備されているが、筐体２の側面や背面に窓ガラスを装備したキュービクルの場合でも、その窓ガラスの補強用金網をアンテナとして兼用することができる。その他、本発明は上記実施形態に限定されるものではなく、発明の趣旨を逸脱しない範囲で、各部の構成を適宜に変更して実施することも可能である。
【符号の説明】
【００２１】
１    キュービクル
２    筺体
３    前面扉
４    窓ガラス
５    金網
６    アンテナ端子
７    給電線
９    無線通信ユニット
１３    空隙部
１５    導線
【図１】
0005980571.tif 000002
【図２】
0005980571.tif 000003
【図３】
0005980571.tif 000004
【図４】
0005980571.tif 000005
【図５】
0005980571.tif 000006
【図６】
0005980571.tif 000007